(57)【要約】【課題】別途併設電話のオフフック検出回路を設けることなく、併設電話がオフフックされていることを検出することを可能にする通信装置を提供すること。【解決手段】電話回線に接続し、データ通信を行う、シリコンＤＡＡを使った通信装置３０１において、その電話回線には別の電話機３１４が併設されている電話回線では、通信装置３０１をコントロールするホスト３０２から通信開始の指示が出された場合、オフフックする前に電話回線の電圧を測定するＤＡＡ回路３１７と、その測定値が予め設定されていたしきい値以下であれば、同じ電話回線に並列に接続された外部電話機３１４がオフフック状態であることを認識し、通信開始を中止し、ホストへその中止を知らせるＤＳＰ３０３とを有することを特徴とする。【選択図】  図１
2004187120.tif 000002
【特許請求の範囲】
【請求項１】
電話回線に接続し、データ通信を行う通信装置において、該電話回線には別の電話機が併設されており、該通信装置をコントロールするホストから通信開始の指示が出された場合、オフフックする前に電話回線の電圧を測定するＤＡＡ回路と、その測定値が予め設定されていたしきい値以下であれば、同じ電話回線に並列に接続された外部電話機がオフフック状態であることを認識し、通信開始を中止し、該ホストへその中止を知らせるＤＳＰとを有することを特徴とした通信装置。
【請求項２】
請求項１に記載の通信装置において、前記予め設定されたしきい値は、パラメータとして外部から設定できることを特徴とした通信装置。
【発明の詳細な説明】
【０００１】
【発明の属する技術分野】
本発明は、ＢＳ／ＣＳデジタルセットトップボックス、ＢＳ／ＣＳデジタルＴＶ、通信機能付きファクシミリ・電話機器などのように公衆回線と接続される組込用のデータ通信装置に関するものである。
【０００２】
【従来の技術】
公衆回線と接続されるデータ通信装置の一例としてモデムについて従来技術を記す。現在、ＢＳデジタル放送など新しい放送サービスにおいて、双方向のサービスが提供されている。このような、双方向のサービスのため、ＢＳデジタルＴＶやＢＳ／ＣＳデジタルセットトップボックスなどは、データ通信を行うためのモデム装置を内蔵している。これらの機器には、内部をコントロールするホストコントローラ（マイコン、ＣＰＵなど）があり、電話回線に接続されるモデム装置をコントロールしている。
【０００３】
ＢＳ／ＣＳデジタルセットトップボックスなどは、このモデムを使用して、データ通信を行ない、課金情報の送出や、インターネットからの情報のダウンロードに使用している。このような機器では、電話回線を占有しているのではなく、常に同じ電話回線に電話機が並列して存在している。
【０００４】
このような場合、モデムを持った機器が、通信を始めようとした場合に、もし、併設された電話機がオフフック状態（受話器を上げた状態）であれば、このままダイヤリングしても正常にダイヤリングできないし、ユーザーの通信を妨げないためにも通信の開始を止める必要がある。この併設電話機の使用状態をチェックするには、別途、電話回線に電流が流れているかどうかの併設電話のオフフック検出回路を設けることが必要である。
【０００５】
【特許文献１】
特表２０００−５１３１８６号公報
【０００６】
【発明が解決しようとする課題】
図３に併設電話機のオフフック検出回路例を示す。併設電話機がオフフックされると、その併設電話機のトランスが閉結され、回線が通じる。そして回線には電流が流れ、ホトカプラ２０５にも電流が流れるため、電流検出信号がＬｏｗとなり、併設電話機がオフフックされた状態であるかをチェックすることができる。しかし、別途回路を設けることは、コストアップになるため、通信開始時に併設電話機がオフフックされていることを検出する機能は無い場合が多い。なお、図３中で、２０１はモデム、２０２は電話回線、２０３は１００Ωの抵抗、２０４はバリスタ、２０５はホトカプラである。なお、併設電話のオフフック、オンフック検出回路があるＤＡＡ（データアクセスアレンジメント）回路の従来技術を記載した文献として、例えば、上記特許文献１などがある。
【０００７】
本発明の目的は、上記の事情に鑑みてなされたもので、電話回線に接続された通信装置において、別途併設電話のオフフック検出回路を設けなくても併設電話のオフフックを容易に検出できるような通信装置を提供することである。
【０００８】
【課題を解決するための手段】
本発明に係る通信装置は、電話回線に接続し、データ通信を行う装置において、その電話回線には別の電話機が併設されている電話回線に関し、通信装置をコントロールするホストから通信開始の指示が出された場合、オフフックする前に電話回線の電圧を測定するＤＡＡ回路と、その測定値が予め設定されていたしきい値以下であれば、同じ電話回線に並列に接続された外部電話機がオフフック状態であることを認識し、通信開始を中止し、ホストへその中止を知らせるＤＳＰとを有することを特徴としている。
【０００９】
また、本発明に係る上記通信装置において、予め設定されたしきい値は、パラメータとして外部から設定できることを特徴としている。
【００１０】
最近では、従来の巻き線を使用した従来のトランスの変わりに、集積回路でその機能を代替するシリコンＤＡＡが使われるようになってきた。このシリコンＤＡＡの機能の中には、回線電圧を測定できる機能がある。回線電圧は併設電話がオフフックされた場合には、回線が閉じるため回線が開いているときよりも回線電圧が低下する。そのため、オフフックする前に電話回線の電圧をチェックすることによって、併設電話のオフフック状態を検出できるようになる。つまり、モデムがオフフックする前に回線電圧をチェックして、電圧がある値以下であれば、併設電話がオフフックしていることが判断できる。
【００１１】
【発明の実施の形態】
公衆回線と接続される通信装置の一例としてモデムを使って具体的な実施例を説明する。
【００１２】
図１に最近のシリコンＤＡＡを使用したモデム装置の構成を示す。３０１は、モデムチップで、内部は、ＤＳＰ（デジタルシグナルプロセッサ）コア３０３（ＣＰＵコアがある場合もある）、ＲＯＭ３０７、ＲＡＭ３０８、シリコンＤＡＡインタフェース３０６、通信用Ｉ／Ｏ３０４、ＮＣＵ（ネットワークコントロールユニット）コントロール用Ｉ／Ｏ３０５を内蔵している。モデム３０１は、パーソナルコンピュータや、マイコンなどのホスト３０２と通信Ｉ／Ｏ３０４（シリアル通信Ｉ／Ｏ  又は  パラレル通信Ｉ／Ｏ）とで接続され、通常ＡＴコマンドと呼ばれるコマンドで制御される。ＡＴコマンドは、コマンドの先頭の文字が「ＡＴ」または「ａｔ」で始まり、その後にコマンドが続く形となる。
【００１３】
３１１は、シリコンＤＡＡ３１７のシステム側デバイスチップで、３１３は、シリコンＤＡＡ３１７のライン側デバイスチップである。３１２は、１次側と２次側を電気的に隔離するためのアイソレーションバリア用のコンデンサである。このコンデンサ３１２を通して、シリコンＤＡＡ３１７のシステム側デバイス３１１とライン側デバイス３１３が相互に通信を行なっている。モデム３０１とシリコンＤＡＡ３１７は、シリアル通信でステータスやコマンドをやり取りしてモデム３０１からコントロールする。
【００１４】
システム側デバイス３１１は、ライン側デバイス３１３とのデータ通信を行い、ライン側デバイス３１３へオフフックの指示としてオフフック信号３０９を与えたり、ライン側デバイス３１３からオフフック時の回線電流値データ、リング信号３１０などを受け取ったりする。また、通信時は、回線へのＤ／Ａ変換を行う送信データや回線からのＡ／Ｄ変換データを受信し、、ＤＳＰ３０３との間でデータの送受信を行う。オフフックする場合、モデム３０１は、ＮＣＵ用Ｉ／Ｏ３０５のオフフック出力端子をＯＮにする。シリコンＤＡＡ３１７のシステム側チップ３１１は、オフフックの動作をライン側デバイス３１３に指令し、ライン側デバイス３１３でオフフック動作を行う。
【００１５】
図２はオフフック検出の処理のフローチャート図である。
モデム３０１は、ホスト３０２からＡＴコマンドで通信開始を指示されたとき、オフフック動作を行う前に、シリコンＤＡＡ３１７に対して回線電圧データ要求しそのデータを得る（図２：ステップ２）。そのデータが予め設定されたしきい値以下であれば（図２：ステップ３）、併設電話機がオフフックされている状態であると判断して、ホストへ「ＬＩＮＥ  ＩＮ  ＵＳＥ」リザルトコードを出力し併設電話がオフフックされている状態で、通信開始が中止された事を示す（図２：ステップ４）。このリザルトコードは、別のものでもよい。もし、電圧値がしきい値以上であれば、ダイヤリングを開始する（図２：ステップ５）。そしてそれが終了すれば、通常通信動作になる（図２：ステップ６）。
【００１６】
このしきい値は、予め設定されているが、Ｓレジスタ（モデム３０１の内部レジスタ）で外部から設定できるようにしてもよい。
【００１７】
【発明の効果】
以上説明したように、本発明によれば、シリコンＤＡＡを使った通信装置において、別途併設電話のオフフック検出回路を設けることなく、併設電話がオフフックされていることを検出することが容易にできる。
【図面の簡単な説明】
【図１】シリコンＤＡＡを使用したモデム装置の構成例図である。
【図２】本発明の処理手順を説明するフローチャート図である。
【図３】併設電話機オフフックチェック回路例図である。
【符号の説明】
２０１  モデム
２０２  電話回線
２０３  抵抗（１００Ω）
２０４  バリスタ
２０５  ホトカプラ
３０１  モデム
３０２  ホスト
３０３  ＤＳＰ
３０４  通信用Ｉ／Ｏ
３０５  ＮＣＵ  Ｉ／Ｏ
３０６  シリコンＤＡＡインターフェース
３０７  ＲＯＭ
３０８  ＲＡＭ
３０９  オフフック信号
３１０  リング信号
３１１  システム側チップ
３１２  アイソレーションバリア用のコンデンサ
３１３  ライン側チップ
３１４  周辺回路
３１５  ライン１
３１６  ライン２
３１７  シリコンＤＡＡ
【図１】
2004187120.tif 000003
【図２】
2004187120.tif 000004
【図３】
2004187120.tif 000005